(57)【特許請求の範囲】
【請求項１】
ホイールフレーム（４）、テーブルトップ（１）、および回転可能なテーブル足（３）を含み、前記テーブルトップ（１）が、前記回転可能なテーブル足（３）とベース（２）とを介してホイールフレーム（４）に接続されている自立式のテーブル装置において、
前記テーブルトップ（１）は、当該テーブルトップ（１）の一方のエッジ近傍で、前記回転可能なテーブル足（３）に接続され、
前記回転可能なテーブル足（３）は、前記ベース（２）の回転軸に対して偏心して前記ベース（２）に接続され、
前記ベース（２）は、前記ホイールフレーム（４）に回転可能に取り付けられており、
前記ホイールフレーム（４）の底部側には、移動のためのキャスター（５）が備え付けられていることを特徴とする装置。
【請求項２】
前記ベース（２）には、前記回転可能なテーブル足（３）と比較してベースの回転軸（２４）の直径方向反対側に、バランスウェイト（２５）が設けられていることを特徴とする請求項１に記載の装置。
【発明の詳細な説明】
【０００１】
本発明は、２つ以上の垂直軸のまわりで回転可能に配置されるテーブルに関する。
【０００２】
テーブルベースに対していくつかの異なる位置間でテーブルトップを動かすことを目的とする回転テーブルは、従来技術において知られていない。壁部が取り付けられた二重にヒンジ式に接続している棚、特にコンピュータ・モニタおよびテレビのためのホルダーとして使われるものは、しかしながら従来技術において公知である。たとえばコンピュータ装置の使用などのアプリケーションの関連領域の範囲内で、ホイールのついたテーブルおよびホイールのついたラックが、据え付けのテーブルのほかに使用されている。ホイールのついたテーブルの１つの不利な点は、テーブルトップが外方および上方に容易に揺動しないことにあり、たとえば肘掛け椅子では、これはテーブルのベースフレームが椅子のベースと衝突してしまうことに起因する。
【０００３】
本発明の目的は、従来技術のマイナス面を解消することである。
【０００４】
本発明によれば、上記目的は、以下の説明において、および特許請求の範囲において開示される特徴により達成される。
【０００５】
テーブルトップは、入れ子式の回転可能な足を介してベースに接続される。ベースは、たとえばオフィス椅子に使用される種類のキャスターを備えているかもしれない基礎をなすフレーム／ホイールフレームに、回転可能に取り付けられる。足は、テーブルトップの一方のエッジ近傍でテーブルトップに、ベースの回転軸に対して偏心してベースに取り付けられる。バランスウェイトは、足の取付点と比較してベースの直径方向反対側に配置される。
【０００６】
可能ならばホイールから独立した回転可能なベース、ベースおよびテーブルトップのエッジ近傍での足の位置決め、および回転可能な足を含むテーブルの設計は、テーブルトップが、ベースの上方中央に位置するか、あるいはたとえば肘掛け椅子のように外方および上方に延長しているかという、その到達範囲内での任意の位置間で、容易に、かつ実質的に自由に揺動することを可能にする。テーブルトップおよびベース間に取り付けられている本来的に公知の空気ばねは、足の入れ子式の機能をロックするため、およびテーブルトップの昇降の間に任意のテーブル負荷と釣り合わすために、配置される。
【０００７】
テーブルトップ、足、およびベースを含むテーブルの主要部分には、たとえば電気装置ケーブルなどの貫通接続のために、開口が設けられてもよい。テーブルの回転角度を制限するロック装置は、付加可能性のあるケーブルがねじれることを防止する。有利には、付加可能性のあるテーブルホイールは、ブレーキを備えていてもよく、したがって、テーブルの構成要素が運動している間、テーブルを床の上に安定させる。
【０００８】
以下において、本発明の好ましい実施形態の非限定的な例について説明する。この実施形態は、添付の図面によって図示される。
【０００９】
図１は、引っ込んだ位置におけるテーブルの斜視図を示し、図２は、引っぱり出された位置におけるテーブルの斜視図を示し、図３は、テーブルの垂直断面図を示す。
【００１０】
図面上で、参照符号１は、テーブルトップを示しており、その一方の端部は入れ子式の足３を介して、ベース２に接続されている。好ましい実施形態において、ベース２は円形であるが、しかし、それはまた異なる外側の幾何学形状を呈していてもよい。入れ子式の足３は、外管３１、内側の入れ子管３２、入れ子式の軸受３３、およびレバーでコントロールされる本来的に公知の空気ばね３４を含む。外管３１は、ベース２のサポートフレーム２１に、固定して接続されており、上端部において入れ子式の軸受３３に固定して接続されている。一方、入れ子管３２は、テーブルトップ１に固定して接続されており、入れ子式の軸受３３の内側で移動可能に配置されている。空気ばねは、足３に対して同心に配置されており、そのそれぞれの端部は、テーブルトップ１およびサポートフレーム２１に接続されている。ホイールフレーム４の底部側にはブレーキが設けられたキャスター５が備え付けられ、頂部側にはボールハウジング４１が備え付けられており、いずれも本来的に公知のものである。ボールハウジング４１のボール４２は、サポートフレーム２１の円形の溝２２に配置されており、サポートフレーム２１と共に多数リング軸受を形成する。サポートフレーム２１の底部側に取り付けられるフランジに似たリング２３は、下方へ、および部分的にホイールフレーム４の下に延長しており、そして、たとえばテーブル運搬の間、サポートフレーム２１の溝２２がボール球４２から持ち上げられることを防止するために配置される。ベース２の回転中心２４に関して足３の直径方向反対側において、プレート状のバランスウェイト２５がベース２の内側に配置される。このような状況において、バランスウェイト２５は多くの構成要素から構成されていてもよく、その質量は、テーブルトップ１が引っぱり出された位置（図２参照）にある間、負荷を受け得るあらかじめ決められた最大重量に適合される。また、美的考慮のため、ベース２には、バランスウェイト２５およびサポートフレーム２１を隠すカバープレート２６が設けられることが要求される。図示されていないケーブルは、ベース２の底部側から２つの開口２７、２８を通ってその頂部側に送られ、そして、開口３６、入れ子管３２の空隙、および開口１１を通ってテーブルトップ１の頂部側に送られてもよい。
【００１１】
テーブルは、キャスター５で、所望の位置に動かされる。テーブルトップ１の高さを調整するとき、入れ子管３２が入れ子式の軸受３３の内側で動かされるように、従来の方法でレバー３５が操作されて空気ばね３４が解放される。テーブルトップ１は、足３の中心軸線のまわりで、およびベース２の軸線２４のまわりで回転することができ、このように配置される結果、その到達範囲内で水平面内の任意の位置を想定することができる。許容限界の範囲内で負荷が加えられる場合、引っぱり出された位置にある間は、バランスウェイト２５によりテーブルが傾くことが防止される（図２参照）。
【図面の簡単な説明】
【図１】  引っ込んだ位置におけるテーブルの斜視図を示す。
【図２】  引っぱり出された位置におけるテーブルの斜視図を示す。
【図３】  テーブルの垂直断面図を示す。
【図１】
0004440538.tif 000002
【図２】
0004440538.tif 000003
【図３】
0004440538.tif 000004